(57)【要約】【課題】  根太とスパイラル杭との接続作業を容易に行なうことができる根太基礎を提供する。【解決手段】  本発明の根太基礎４０は、スパイラル杭１０と、根太２０と、前記スパイラル杭１０と前記根太２０とを接続する接続部材３０と、前記スパイラル杭１０と前記接続部材３０とを接続する第１のボルト２と、前記根太２０と前記接続部材３０とを接続する第２のボルト７と、を有し、前記接続部材３０には前記第１のボルト２が貫通する第１の長孔３１を設け、前記接続部材３０又は前記根太２０には前記第２のボルト７が貫通する第２の長孔３２を設け、前記第１の長孔３１と前記第２の長孔３２は互いの延在方向が略直角の関係に設けられていることを特徴とする。【選択図】  図１
2015014145.tif 000002
【特許請求の範囲】
【請求項１】
スパイラル杭と、根太と、前記スパイラル杭と前記根太とを接続する接続部材と、前記スパイラル杭と前記接続部材とを接続する第１のボルトと、前記根太と前記接続部材とを接続する第２のボルトと、を有し、
前記接続部材には前記第１のボルトが貫通する第１の長孔を設け、
前記接続部材又は前記根太には前記第２のボルトが貫通する第２の長孔を設け、
前記第１の長孔と前記第２の長孔は互いの延在方向が略直角の関係に設けられていることを特徴とする根太基礎。
【請求項２】
請求項１に記載の根太基礎において、
前記第２の長孔は前記根太の長手方向に沿って延在することを特徴とする根太基礎。
【請求項３】
請求項１又は２に記載の根太基礎において、
前記根太は断面Ｌ字型の鋼材であるとともに、前記接続部材は２つの片をＬ字型に配した断面Ｌ字型の金具であり、
前記接続部材は、その一片で前記スパイラル杭の頭頂に前記第１のボルトにより接続され、その他片で前記根太に面当てして前記第２のボルトにより接続されることを特徴とする根太基礎。
【請求項４】
請求項１乃至３のいずれか１項に記載の根太基礎において、
前記第１のボルトが前記スパイラル杭の頭頂に予め立設された状態で、前記スパイラル杭と前記接続部材とが当該第１のボルトにより接続されることを特徴とする根太基礎。
【請求項５】
請求項１乃至４のいずれか１項に記載の根太基礎において、
地面に対して支柱を立設して構築される簡易なハウスの基礎に用いられ、
前記支柱を差込む筒状材に板材を設けた支柱受けが、当該板材を前記接続部材と共に前記第２のボルトで前記根太に共締めすることで取付けられることを特徴とする根太基礎。
【発明の詳細な説明】
【技術分野】
【０００１】
本発明は、根太をスパイラル杭により設置する根太基礎に関する。
【背景技術】
【０００２】
平鋼をねじったねじり平鋼などをスパイラル杭として用い、スパイラル杭を地面に打設して建物等の構造物の基礎とすることが行われている。
本出願人は、特許文献１に示すように、ねじり平鋼の一端にボルトを溶接した杭や、特許文献２に示すように、ねじり平鋼の一端にパイプを溶接した杭を提案している。
【０００３】
図５及び図６に、スパイラル杭を例示する。
図５（ａ）は、ねじり平鋼１にボルト２を溶接したスパイラル杭であり、図５（ｂ）は、ねじり平鋼１にナット２ａを溶接し、該ナット２ａにねじ軸部２ｂをねじ込んでボルト２としたスパイラル杭である。
図６（ａ）（ｂ）は、ねじり平鋼１の頭頂に板状体３設け、板状体３に設けられた孔４をスパイラル杭側から貫通してボルト２を設けて、板状体３を挟むようにボルト２のねじ軸２ｂにナット（不図示）を螺合させるスパイラル杭であり、板状体３にはボルト２の頭部２ｃが嵌合する回り止め用の隙間５が形成されている。（特願２０１２−２７０７５号参照）
【０００４】
このようなスパイラル杭は、地面に打設されて、例えば、プレバブ家屋や農作物を栽培するビニールハウス等と言った簡易なハウスの基礎に用いられる。
例えば、ビニールハウスは、地面に這わせて設置した長尺の根太（横木）に支柱を支持して立設し、支柱に透明パネルやビニールシートを支持させて構成され、この根太をスパイラル杭に接続することで地面に固定した基礎構造として、風雨に耐え得る強固なものとすることができる。
【先行技術文献】
【特許文献】
【０００５】
【特許文献１】特開２００１−３２３４６０号公報
【特許文献２】特開２００３−３２８３５４号公報
【発明の概要】
【発明が解決しようとする課題】
【０００６】
根太とスパイラル杭とを接続した根太基礎を構成する場合、根太の所定箇所（接続箇所）にスパイラル杭を接続するために、根太の接続箇所に合わせてスパイラル杭を打設する、或いは、スパイラル杭の打設位置に合わせて根太を設置する必要がある。
しかしながら、このような根太基礎の組み立ては現場作業で行なうため、根太の接続箇所とスパイラル杭の打設位置とを位置合わせすることは容易な作業ではなかった。
更には、長尺な根太に複数箇所でスパイラル杭に接続する場合、根太の各接続箇所と各スパイラル杭の打設位置とを位置合わせすることは困難な作業であった。
【０００７】
本発明は、上記従来の事情に鑑みなされたものであり、根太とスパイラル杭との接続作業を容易に行なうことができる根太基礎を提供することを目的としている。
【課題を解決するための手段】
【０００８】
本発明の根太基礎は、スパイラル杭と、根太と、前記スパイラル杭と前記根太とを接続する接続部材と、前記スパイラル杭と前記接続部材と接続する第１のボルトと、前記根太と前記接続部材とを接続する第２のボルトと、を有し、前記接続部材には前記第１のボルトが貫通する第１の長孔を設け、前記接続部材又は前記根太には前記第２のボルトが貫通する第２の長孔を設け、前記第１の長孔と前記第２の長孔は互いの延在方向が略直角の関係に設けられていることを特徴とする。
【０００９】
この根太基礎によると、ボルトの締結という簡単な作業でスパイラル杭と根太とを接続することができ、しかも、ボルトを通す第１の長孔と第２の長孔とが略直角の関係にあるので、根太の接続箇所とスパイラル杭の打設位置とを２軸方向の自由度をもって容易に位置合わせすることができる。
【００１０】
ここで、本発明の根太基礎は、前記第２の長孔を前記根太の長手方向に沿って延在するように設けるのが好ましい。
第２の長孔は、第１の長孔と互いの延在方向が略直角の関係であれば任意の方向に延在して設けることができるが、根太の長手方向に沿って延在するように設けると、第２の長孔を利用して接続部材と根太とのボルト締結位置を調整しても、接続部材が根太から出っ張ってしまうことがないという利点がある。
【００１１】
また、本発明の根太基礎は、前記根太は断面Ｌ字型の鋼材であるとともに、前記接続部材は２つの片をＬ字型に配した断面Ｌ字型の金具であり、前記接続部材は、その一片で前記スパイラル杭の頭頂に前記第１のボルトにより接続され、その他片で前記根太に面当てして前記第２のボルトにより接続されるのが好ましい。
断面Ｌ字型の鋼材や断面Ｌ字型の金具といった入手容易或いは製作簡単な部材を用いて根太基礎を構成することができ、しかも、金具の２つの片の間の空間を利用してボルトの締結作業を行なうことができる。
【００１２】
また、本発明の根太基礎は、前記第１のボルトが前記スパイラル杭の頭頂に予め立設された状態で、当該第１のボルトにより前記スパイラル杭と前記接続部材とが接続されるのが好ましい。
すなわち、図５及び図６に示したように、頭頂にボルトを立設したスパイラル杭を用いることにより、現場での根太基礎の組み立て作業をより一層容易にすることができる。
【００１３】
また、本発明の根太基礎は、地面に対して支柱を立設して構築される簡易なハウスの基礎に用いられ、前記支柱を差込む筒状材に板材を設けた支柱受けが、当該板材を前記接続部材と共に前記第２のボルトで前記根太に共締めすることで取付けられるのが好ましい。
これにより、現場作業において、ビニールハウスなどの簡易ハウスの根太基礎を容易に組み立てることができ、しかも、支柱受けの取付けを根太基礎の組み立てと共に行なうことができる。
【００１４】
ここで、本発明における「根太」は、床板を支持するための横木だけでなく、用途に応じて、床材を支持せずに柱を支持するためなどの横木をも包含するものである。例えば、農作物を栽培するビニールハウス等の床のない簡易ハウスの基礎に本発明を適用する場合には、ハウスの支柱を支持するために地面に這わせる横木（根太）を設置固定する基礎に適用することができる。
【発明の効果】
【００１５】
本発明によると、根太とスパイラル杭との接続作業を容易に行なうことができる根太基礎を実現することができる。
【図面の簡単な説明】
【００１６】
【図１】本発明の一実施例に係る根太基礎構造を分解した状態で示す断面図である。
【図２】本発明の一実施例に係る根太基礎構造を組み立てた状態で示す平面図である。
【図３】本発明の一実施例に係る接続部材を示す図であり、（ａ）は平面図、（ｂ）は側面図、（ｃ）は正面図である。
【図４】本発明を適用した簡易ハウスの一例を示す図であり、（ａ）は平面図、（ｂ）は正面図である。
【図５】スパイラル杭の一例を示す図である。
【図６】スパイラル杭の一例を示す図であり、（ａ）は正面図、（ｂ）は平面図である。
【発明を実施するための形態】
【００１７】
本発明の一実施例に係る根太基礎構造を、図１には分解した状態で示し、図２には組み立てた状態で平面視して示してある。
図３には、本発明に係る接続部材の好適な一例である断面Ｌ字型の金具を平面視、側面視、正面視でそれぞれ示してある。
また、図４には、本発明の一実施例を適用した簡易ハウスの一例として、農業用ビニールハウスを平面視、正面視でそれぞれ示してある。
【００１８】
まず、図４に示すように、農業用ビニールハウス５０は、地面に這わせて設置した根太２０と、地面に打設したスパイラル杭１０とを接続し、これにより、根太２０を地面に強固に固定した根太基礎４０を有している。
根太２０は、農業用ビニールハウス５０の下端に枠形に配置され、これら各根太２０が根太基礎４０により地面に固定されている。
なお、農業用ビニールハウス５０は、例えば、長さ２４ｍ、幅６ｍ、高さ３ｍ程度の大きさであり、長尺な根太２０は２ｍ間隔で根太基礎４０（スパイラル杭１０）により地面に固定されている。
【００１９】
農業用ビニールハウス５０は、幅方向左右の根太２０でアーチ状の支柱（図示せず）の下端を支持し、当該支柱でビニールシートを支持した構造であり、後述するように、これら根太２０の根太基礎部には当該支柱を支持する支柱受け５１が設けられている。
すなわち、長尺な根太２０は、その長手方向の所定箇所でそれぞれ根太基礎４０（スパイラル杭１０）により地面に固定され、また、これら根太基礎４０の位置でそれぞれ支柱を支持している。
【００２０】
図１乃至図３に示すように、根太基礎４０は、スパイラル杭１０と根太２０とを接続部材３０で接続した構成である。
本実施例では、図５（ｂ）に示したように、ねじり平鋼１の頭頂に溶接されたナット２ａにねじ軸２ｂをねじ込んでボルト２（第１のボルト）としたスパイラル杭１０を用いている。
また、本実施例では、断面Ｌ字型の鋼材を根太２０として用い、また、断面Ｌ字型の金具を接続部材３０として用いている。
【００２１】
Ｌ字型の接続部材３０は２つの片をＬ字型に配した形状であり、その一片でスパイラル杭１０の頭頂に第１のボルト２により取付けられ、その他片で根太２０に面当てして第２のボルト７により取付けられ、これによって、スパイラル杭１０と根太２０とが接続部材３０により接続される。
このように、接続部材３０を根太２０に面当てして接続するのが好ましく、この面接触により、接続部材３０と根太２０とをより強固に接続することができる。
なお、本実施例では、第２のボルト７を２つ用いて、接続部材３０を根太２０により強固に接続するようにしているが、１つのボルト７で接続するようにしてもよく、ボルト７の数及びこれを通す長孔３２（後述）の数は必要に応じて任意に設定すればよい。
【００２２】
Ｌ型の接続部材３０は、その一片に第１のボルト２を挿入する第１の長孔３１が設けられ、その他片に第２のボルト７を挿入する第２の長孔３２が設けられている。なお、根太２０には、第２の長孔３２に対応して、第２のボルト７を挿入する孔２１が設けられている。
これら第１の長孔３１と第２の長孔３２とは、互いの延在方向が略直角の関係で設けられており、長孔３１，３２を通るボルト２，７による締結位置（すなわち、接続部材３０に対するスパイラル杭１０及び根太２０の接続位置）を長孔３１，３２の延在方向である２軸方向に調整できるようになっている。
【００２３】
本実施例では、第２の長孔３２を根太２０の長手方向に略沿って延在させて設けているため、長孔３２を利用して接続部材３０の接続位置を調整しても、接続部材３０は根太２０の長手方向に沿って移動するだけで、接続部材３０が根太２０の幅（高さ）方向に出っ張ってしまうような不都合は生じない。
また、本実施例では、第１の長孔３１を根太２０の長手方向と略直角に延在させて設けているため、スパイラル杭１０の打設位置と根太２０の設置位置との間隔に誤差が生じてしまった場合でも、長孔３１を利用して、ボルト２によるスパイラル杭１０と接続部材３０との接続位置を調整することで、この誤差を吸収することができる。
【００２４】
次に、本実施例の根太基礎４０を、その組み立て作業手順の一例とともに説明する。
まず、地面にスパイラル杭１０を打設し、また、根太２０を地面に設置する。この際に、孔２１の位置によりほぼ規定される根太２０の接続箇所と、スパイラル杭１０の打設位置が合うようにする。
なお、このスパイラル杭１０の打設と根太２０の設置は、順不同で行なえばよい。また、スパイラル杭１０の打設位置に応じて、現場作業で、根太２０に孔２１を穿設するようにしてもよい。
【００２５】
そして、次のようにして、スパイラル杭１０と根太２０とを接続部材３０により接続する。
スパイラル杭１０の第１のボルト２は地面から突出しており、このボルト２のねじ軸部２ｂを接続部材３０の第１の長孔３１に挿通させる。また、この接続部材３０を根太２０に面当てして、第２のボルト７のねじ軸部７ｂを第２の長孔３２及び孔２１に挿通させる。
この状態では、長孔３１，３２内でのボルト２，７の位置が長孔３１，３２の延在方向に移動可能であるので、これによって、接続部材３０を移動させてスパイラル杭１０及び根太２０との位置合わせをすることができる。
【００２６】
ここで、本実施例では、第２の長孔３２を接続部材３０に設けたが、容易に理解されるように、第２の長孔３２を根太２０に設ける態様、或いは、第２の長孔３２を接続部材３０と根太２０との両方に設ける態様として、根太２０と接続部材３０との位置合わせ自由度をもたせてもよい。
なお、本実施例のように、共用部品とできる接続部材３０に長孔加工を施す態様とことで、加工の容易化や部品の共用化を図ることができる。
【００２７】
次に、各ボルト２，７のねじ軸部にナット２ｃ、７ｃを螺合させて接続部材３０を締結取り付けするが、本実施例では、第２のボルト７の締結により、簡易ハウス５０の支柱を支持する支柱受け５１を接続部材３０と共に根太２０に共締めして取付ける。
この支柱受け５１は、支柱の下端部を差込む筒状体５２に板材５３を設けたものであり、板材５３には、孔２１に対応して第２のボルト７が挿通される孔５４が設けられている。すなわち、上記の第２のボルト７のねじ軸部７ｂは、第２の長孔３２及び孔２１、更に、孔５４に挿通させる。
【００２８】
そして、第１のボルト２の先端からナット２ｃを螺合させて、接続部材３０をスパイラル杭１０の頭頂に締結して取り付け、また、第２のボルト７の先端からナット７ｃを螺合させて、接続部材３０と支柱受け５１を根太２０に締結して取り付ける。
なお、ボルトとナットとの締結は、必要に応じてワッシャを介在させて行なう。
【００２９】
このようにして根太基礎４０を組み立てると、スパイラル杭１０によって地面に強固に固定された根太２０を得ることができる。
そして、接続部材３０を介してスパイラル杭１０と根太２０とをボルト接続する際に、長孔３１，３２による位置合わせ自由度があるので、現場作業で行なうスパイラル杭の打設や根太の設置において、それら打設や設置の位置精度を緩めることができて、現場作業が容易化される。
【００３０】
ここで、上記の実施例では、接続部材３０としてＬ字型金具を用い、接続部材の一片と他片との間の空間でボルト２，７の締結が行えるようにして、現場での締結作業が容易化されるようにしている。しかしながら、本発明では、接続部材３０は実施例に限定されるものではなく、必要に応じて種々な態様のものを用いることができる。
また、上記の実施例では、根太２０として入手や製作が容易なＬ字型鋼材を用いたが、本発明では、必要に応じて種々な態様の横木を用いることができる。
【００３１】
また、上記の実施例では、スパイラル杭１０としてねじり平鋼１に第１のボルト２を予め立設したスパイラル杭を用いたが、本発明はこれに限定されるものではなく、例えば、鋳造したスパイラル杭を用いたり、或いは、第１のボルト２を現場での組み立て作業で後付けする、といったように種々な態様のものを用いることができる。
また、上記の実施例では、第２のボルト７を別部品としたが、本発明では、例えば、根太２０に第２のボルト７を立設しておき、当該ボルト７を接続部材３０の第２の長孔３２に挿通するようにしてもよく、或いは、根太２０に第２の長孔３２を設ける場合には、接続部材３０に第２のボルト７を立設しておき、当該ボルト７を根太２０の第２の長孔３２に挿通するようにしてもよい。
【００３２】
また、上記の実施例では、根太２０を複数箇所で根太基礎４０により固定する例を示したが、本発明では、根太基礎４０の根太に対する設置箇所や数は必要に応じて任意に設定すればよい。
また、上記の実施例では、根太基礎４０毎に根太２０が１本のスパイラル杭１０に接続される例を示したが、本発明では、例えば、接続部材３０に複数本のスパイラル杭１０を接続するようにして、根太基礎４０毎に根太２０が複数本のスパイラル杭１０に接続されるようにしてもよい。
【００３３】
また、上記の実施例では、第２の長孔３２を根太２０の長手方向に略沿って延在させて設け、第１の長孔３１を根太２０の長手方向と略直角に延在させて設けたが、本発明では、略直角の関係にある第１と第２の長孔３１，３２の延在方向を実施例と逆としてもよい。
【産業上の利用可能性】
【００３４】
以上説明したように、本発明によれば、根太とスパイラル杭との接続作業を容易に行なうことができる根太基礎が実現される。そして、本発明に係る根太基礎は、農業用の簡易ハウスの基礎に利用することができる他、スパイラル杭により地面に固定されるあらゆる根太の基礎に利用することができる。
【符号の説明】
【００３５】
２  第１のボルト、
２ｃ  ナット、
７  第２のボルト、
７ｃ  ナット、
１０  スパイラル杭、
２０  根太（Ｌ字型鋼材）、
３０  接続部材（Ｌ字型金具）、
３１  第１の長孔、
３２  第２の長孔、
４０  根太基礎、
５０  簡易ハウス、
５１  支柱受け、
【図１】
2015014145.tif 000003
【図２】
2015014145.tif 000004
【図３】
2015014145.tif 000005
【図４】
2015014145.tif 000006
【図５】
2015014145.tif 000007
【図６】
2015014145.tif 000008